(57)【要約】【課題】良好な白バランスを得ることができ、色再現性に優れた表示が可能な液晶表示装置を提供する。【解決手段】本発明の液晶表示装置は、複数の走査信号線と画像信号線とを備えるとともに、複数のサブ画素に対応して複数色の着色層が設けられた液晶パネルに、１フレーム期間に所定の前記走査信号線を複数回選択させて、前記画像信号線から供給される入力画像に基づき前記複数色に対応した画像信号と、前記入力画像とは無関係な暗表示信号と、を書き込む液晶表示装置であり、前記１フレーム期間内の複数選択のうち前記暗表示信号を書き込む選択においては、前記複数色のうち青色系の色種に対応した前記サブ画素を選択して、前記青色系の色種の信号レベルを有した前記暗表示信号を該サブ画素に書き込むことを特徴としている。【選択図】図２
2008009042.tif 000002
【特許請求の範囲】
【請求項１】
複数の走査信号線と画像信号線とを備えるとともに、複数のサブ画素に対応して複数色の着色層が設けられた液晶パネルに、１フレーム期間に所定の前記走査信号線を複数回選択させて、前記画像信号線から供給される入力画像に基づき前記複数色に対応した画像信号と、前記入力画像とは無関係な暗表示信号と、を書き込む液晶表示装置であって、
前記１フレーム期間内の複数選択のうち前記暗表示信号を書き込む選択においては、前記複数色のうち青色系の色種に対応した前記サブ画素を選択して、前記青色系の色種の信号レベルを有した前記暗表示信号を該サブ画素に書き込むことを特徴とする液晶表示装置。
【請求項２】
複数の走査信号線と画像信号線とを備えるとともに、複数のサブ画素に対応して複数色の着色層が設けられた液晶パネルに、１フレーム期間に所定の前記走査信号線を複数回選択させて、前記画像信号線から供給される入力画像に基づき前記複数色に対応した画像信号と、前記入力画像とは無関係な暗表示信号と、を書き込む液晶表示装置であって、
前記１フレーム期間内の複数選択のうち前記暗表示信号を書き込む選択においては、前記複数色のうち最も短い波長の色種に対応した前記サブ画素を選択して、前記最も短い波長の色種の信号レベルを有した前記暗表示信号を該サブ画素に書き込むことを特徴とする液晶表示装置。
【請求項３】
前記暗表示信号の信号レベルが、同一フレーム内の前記画像信号に含まれる青色系の色種又は最も短い波長の色種の前記サブ画素を駆動する信号成分の信号レベルと同一であることを特徴とする請求項１又は２に記載の液晶表示装置。
【請求項４】
前記暗表示信号の信号レベルが、複数のフレームにわたり一定であることを特徴とする請求項１から３のいずれか１項に記載の液晶表示装置。
【請求項５】
請求項１から４のいずれか１項に記載の液晶表示装置を備えたことを特徴とする電子機器。
【発明の詳細な説明】
【技術分野】
【０００１】
本発明は、液晶表示装置及び電子機器に関するものである。
【背景技術】
【０００２】
近年、液晶表示装置（ＬＣＤ）等のフラットパネルディスプレイが、コンピュータのＣＲＴやテレビの表示装置として多用されるようになってきている。しかしながら、液晶表示装置のようなホールド型の表示装置では、１フレーム期間に渡り表示状態が変化しないため、文字などの静止画像の表示には適しているが、動画の表示には変化する画像の輪郭がぼけた状態で視認されるという問題がある。そこで、液晶パネルの複数の走査線をブロックとして、このブロックに対応したバックライトを走査線の走査に対応させて順次パルス駆動により点灯させ、応答型（インパルス型）の表示方式を実現することで、動画像の表示の際の輪郭のぼけを低減する方法が提案されている（例えば、特許文献１参照）。
【特許文献１】特開２００４−１５７３７３号公報
【発明の開示】
【発明が解決しようとする課題】
【０００３】
ところで、疑似インパルス表示を行う液晶表示装置において、バックライトの変更を伴うことなく表示の明るさを向上させる場合、液晶表示装置の画素開口率を大きくして透過率を向上させる手法のほか、カラーフィルタの透過率を大きくする手法が挙げられる。このうちでも後者の方法は、カラーフィルタの変更のみで表示を明るくでき、液晶表示装置の構成を大きく変更する必要がないため簡便であり、安価に実現することができる。例えば、カラーフィルタを構成する青色、緑色、赤色の色材について、各々の透過波長域を拡大することで、カラーフィルタを透過する照明光の比率が上昇し、表示を明るくすることができる。しかしながら、透過波長域を拡大したカラーフィルタを用いると、視感度の高い緑色の光が強くなりすぎて、白表示が黄色く色づいて視認され、表示品質が低下するという問題が生じる。
【０００４】
本発明は、上記従来技術の問題点に鑑み成されたものであって、良好な白バランスを得ることができ、色再現性に優れた表示が可能な液晶表示装置を提供することを目的としている。
【課題を解決するための手段】
【０００５】
本発明の液晶表示装置は、  複数の走査信号線と画像信号線とを備えるとともに、複数のサブ画素に対応して複数色の着色層が設けられた液晶パネルに、１フレーム期間に所定の前記走査信号線を複数回選択させて、前記画像信号線から供給される入力画像に基づき前記複数色に対応した画像信号と、前記入力画像とは無関係な暗表示信号と、を書き込む液晶表示装置であって、前記１フレーム期間内の複数選択のうち前記暗表示信号を書き込む選択においては、前記複数色のうち青色系の色種に対応した前記サブ画素を選択して、前記青色系の色種の信号レベルを有した前記暗表示信号を該サブ画素に書き込むことを特徴とする。
すなわち本発明は、１フレーム期間内に、画像を表示する期間と、表示を略停止する期間とを設けた疑似インパルス方式の液晶表示装置であり、前記表示を略停止する期間において黒表示ではなく青表示を行うものである。このように暗表示期間に青色を表示することで、表示画像の色味を調整することができるので、カラーフィルタの変更に伴って白表示に黄色みが生じたとしても、暗表示期間の青色によりこの黄色みを補正することができ、良好な白表示が得られる液晶表示装置とすることができる。また、暗表示期間に表示する色として、使用者に視認されにくい青色系の色を用いているので、黒挿入を行った場合と遜色ない表示画質と動画の残像を解消する効果を得ることができる。
【０００６】
本発明の液晶表示装置は、複数の走査信号線と画像信号線とを備えるとともに、複数のサブ画素に対応して複数色の着色層が設けられた液晶パネルに、１フレーム期間に所定の前記走査信号線を複数回選択させて、前記画像信号線から供給される入力画像に基づき前記複数色に対応した画像信号と、前記入力画像とは無関係な暗表示信号と、を書き込む液晶表示装置であって、前記１フレーム期間内の複数選択のうち前記暗表示信号を書き込む選択においては、前記複数色のうち最も短い波長の色種に対応した前記サブ画素を選択して、前記最も短い波長の色種の信号レベルを有した前記暗表示信号を該サブ画素に書き込むことを特徴とする構成であってもよい。すなわち暗表示期間において駆動されるサブ画素は、最も短波長側の色種に対応するものであれば、青色に限定されるものではない。
【０００７】
本発明の液晶表示装置では、前記暗表示信号の信号レベルが、同一フレーム内の前記画像信号に含まれる青色系の色種又は最も短波長側の色種に対応した前記サブ画素を駆動する信号成分の信号レベルと同一である構成とすることができる。このような構成とすれば、同一フレーム内における青表示の輝度と青挿入による青表示の輝度とを揃えることができる。さらにその輝度は表示画像に応じて変化するので、青色成分を多く含む画像を表示する場合には青色が強調された鮮やかな表示を得ることができ、逆に青色成分が少ない表示画像については、青挿入による色ずれが生じるのを効果的に防止することができる。
【０００８】
本発明の液晶表示装置では、前記暗表示信号の信号レベルが、複数のフレームにわたり一定である構成とすることもできる。このような構成とすれば、照明部やカラーフィルタに依存する白バランスの調整を的確に行うことができる。また、表示画像を全体的に青色側にシフトさせることができるので、使用者に視認される画像の鮮やかさを強調することができる。
【０００９】
本発明の電子機器は、先に記載の本発明の液晶表示装置を備えたことを特徴とする。この構成によれば、良好な白表示が得られ、高画質の表示が可能な表示部を具備した電子機器を実現することができる。
【発明を実施するための最良の形態】
【００１０】
本発明の液晶表示装置は、１フレーム期間内に画像信号と暗表示信号とを液晶パネルに書き込む駆動部を備えた液晶表示装置であり、画像信号に基づく画像表示と、画面を暗くした暗表示とを順次行うことでインパルス型に近似の表示動作を可能にしたカラー液晶表示装置である。
【００１１】
図１は、本発明の一実施形態である液晶表示装置１００の全体をブロック図として示す図である。図２は、液晶表示装置１００の駆動方法の説明図であり、図２（ａ）は２フレーム期間における１画素の表示態様を示す平面図、図２（ｂ）は液晶パネル１１０の動作タイミングを示す図である。また図２（ｃ）は、従来の黒挿入方式の場合における１画素の表示態様を示す平面図である。
【００１２】
液晶表示装置１００は、カラー表示型の液晶パネル１１０と、バックライト（照明部）９１とを備えており、液晶パネル１１０に実装されたデータ線駆動回路１０１及び走査線駆動回路１０２を含み、表示制御回路１０３、発光制御回路１０４、及び画像処理回路１０５を備えた駆動回路部１１１を具備する。液晶パネル１１０は、複数の画素が平面視マトリクス状に配列形成された画像表示領域１１０ａを有している。前記画素は複数のサブ画素からなり、図２に示すように、各サブ画素は複数色（青（Ｂ）、緑（Ｇ）、赤（Ｒ））のカラーフィルタのいずれかを具備したものとなっている。画像表示領域１１０ａの辺縁にデータ線駆動回路１０１と走査線駆動回路１０２とが実装されている。データ線駆動回路１０１及び走査線駆動回路１０２は、配線（データ線、走査線）を介して各サブ画素のＴＦＴ（薄膜トランジスタ）と電気的に接続されており、各ＴＦＴに信号供給することで各サブ画素を独立に駆動することができるようになっている。
【００１３】
表示制御回路１０３は、青色（Ｂ）、緑色（Ｇ）、赤色（Ｒ）の各色に対応する色信号Ｓｂ，Ｓｇ，Ｓｒを外部から受け取って、それらに信号処理を施し、処理後の色信号Ｓｂ’，Ｓｇ’，Ｓｒ’を液晶パネル１１０内のデータ線駆動回路１０１へ伝送する。また、表示制御回路１０３は、走査線駆動回路１０２を駆動するための信号をその走査線駆動回路１０２へ伝送する。色信号Ｓｂ，Ｓｇ，Ｓｒは、例えば、携帯電話端末、携帯情報端末、ＩＣレコーダ等といった電子機器から信号線を介して伝送される信号である。
【００１４】
発光制御回路１０４は、バックライト９１に設けられた光源を発光させ、液晶パネル１１０に供給する照明光を制御する。画像処理回路１０５は、表示制御回路１０３から供給される色信号の情報に基づいて暗表示信号Ｓｄを生成し、かかる暗表示信号Ｓｄを液晶パネル１１０に供給する。表示制御回路１０３は、また、画像処理回路１０５からの暗表示信号Ｓｄに同期する駆動信号を走査線駆動回路１０２に供給するようになっている。
【００１５】
本実施形態の液晶表示装置１００では、図２（ａ）及び図２（ｂ）に示すように、各フレームの一定期間内に暗表示（青挿入）を行って疑似インパルス表示を行うようになっている。図２（ａ）に示す「画像表示」期間においては、図２（ｂ）に示す「画像表示」用の選択パルスが走査線駆動回路１０２から走査線に供給される。また、図１に示す表示制御回路１０３に対して青色（Ｂ）、緑色（Ｇ）、赤色（Ｒ）のそれぞれの色信号Ｓｂ，Ｓｇ，Ｓｒが入力され、表示制御回路１０３から液晶パネル１１０上のデータ線駆動回路１０１に色信号Ｓｂ’、Ｓｇ’、Ｓｒ’が供給される。そして、前記走査線に供給された「画像表示」用の選択パルスに同期して、データ線駆動回路１０１から色信号Ｓｂ’、Ｓｇ’、Ｓｒ’がデータ線に対して供給され、画像表示領域１１０ａに画像が表示されるようになっている。
【００１６】
一方、図２（ａ）に示す「青挿入」期間においては、図２（ｂ）に示す「青挿入」用の選択パルスが走査線駆動回路１０２から走査線に供給される。また、画像処理回路１０５からデータ線駆動回路１０１に暗表示信号Ｓｄが供給される。この暗表示信号Ｓｄは、図２（ａ）に示すＢ、Ｇ、Ｒの三色のサブ画素のうち、青色のサブ画素（Ｂ）のみを駆動するための色信号Ｓｂ”である。そして、前記走査線に供給された「青挿入」用の選択パルスに同期して、データ線駆動回路１０１から色信号Ｓｂ”がデータ線に対して供給され、画像表示領域１１０ａは色信号Ｓｂ”の信号レベルに応じた青表示となる。
【００１７】
このように、画像表示の後に青色（Ｂ）のサブ画素を点灯させることで、本実施形態の液晶表示装置１００は、表示画像についての色調整を行うことができるようになっている。従来の疑似インパルス表示では、図２（ｃ）に示すように、１フレーム期間において画像表示とともに黒を表示（黒挿入）していたため、バックライトから供給される照明光の色度や液晶パネルのカラーフィルタの透過波長域に依存する表示の色味を変更することができなかった。これに対して、本実施形態の液晶表示装置１００では、黒挿入に代えて青挿入を行うようになっているので、使用者に視認される表示の色味が青挿入による青色を含んだものとなり、表示画像の色味を適宜調整することができるようになっている。また、暗表示期間に表示する色として、使用者に視認されにくい青色系の色を用いているので、黒挿入を行った場合と遜色ない表示画質と動画の残像を解消する効果を得ることができる。
【００１８】
また、暗表示信号Ｓｄの信号レベルを調整すれば、暗表示期間に駆動されるサブ画素を中間階調で表示することができるため、青挿入による白バランスの調整を精度よく行うことができる。これにより、良好な白表示が得られ、高画質の表示が可能な液晶表示装置とすることができる。
【００１９】
ここで図３は、液晶表示装置１００の作用を説明するためのｘｙ色度図である。
図３において、点Ｃ０は良好な白表示として視認される白色光の色度であり、Ｃ１は一例として示す黄色みのある白色光に対応する色度である。例えば、バックライト９１から供給される照明光の黄色みが強い場合には、液晶パネル１１０を透過して射出される白色光についても、点Ｃ１に対応するような黄色みを帯びた白色光となる。このようなバックライト９１の分光特性は、バックライト９１に設けられた発光素子の換装や複数色の発光素子間の輝度バランスの調整によっても変更可能であるが、いずれの機能もバックライト９１のコスト上昇を招く。そこで本実施形態のように、１フレーム内に画像表示期間と青色を表示する暗表示期間とを設けるならば、バックライト９１の構成を変更することなく、白バランスの調整を行うことが可能であり、高画質の表示が可能な液晶表示装置を安価に提供することができる。また本実施形態において、暗表示期間における青色の輝度レベルは、任意に調整可能であるため、経時的に白バランスが変化したとしても、暗表示信号のレベルを調整することで簡易に補正することができるという利点もある。
【００２０】
また、液晶表示装置１００の明るさの向上を目的として、液晶パネル１１０のカラーフィルタの透過率を大きくすることがある。以下図４を参照しつつ説明する。
図４は、液晶表示装置１００の作用を説明するためのカラーフィルタの分光特性を、バックライトの分光特性とともに示す図である。図４において、実線で示す曲線は、短波長側から順に青色のカラーフィルタ、緑色のカラーフィルタ、及び赤色のカラーフィルタの分光特性である。また、破線で示す曲線は光源にＬＥＤ（発光ダイオード）を用いたバックライトの分光特性を示している。
【００２１】
カラーフィルタの透過率を向上させる場合、例えば、緑色のカラーフィルタを、図４に二点鎖線で示す分光特性を有する透過波長域の広いカラーフィルタに変更することが成される。このように透過光の波長域が広いカラーフィルタを用いることで、液晶パネル１１０に入射する照明光のうちカラーフィルタを透過する成分を増加させることができるため、表示は明るくなる。しかしその一方で、人間の視感度は緑色が最も大きいため、使用者には実際の光量の増加よりも緑の色味が強く感じられ、白表示が黄色みがかって見えてしまうという問題が生じる。本実施形態では、このような場合にも、暗表示期間について青挿入を行うことで、表示の明るさを保持したまま表示画像の色味を青色側にシフトさせることができるので、良好な白表示を得ることができる。また、カラーフィルタの特性に起因する白バランスのずれを調整するに際しても、液晶表示装置１００では暗表示期間のサブ画素を中間階調表示とすることができるので、高精度に白バランスを調整することができる。
【００２２】
また、液晶表示装置１００では、暗表示期間におけるサブ画素の輝度を自在に調整できることから、同一フレーム内の表示画像における青色の色信号Ｓｂ’の信号レベルに応じて、暗表示信号Ｓｄの信号レベルを調整することが可能である。カラーフィルタの透過率変更に伴う白表示の色づきは、緑色の視感度が大きいことに起因するものであるため、表示画像を構成する色信号Ｓｂ’、Ｓｇ’、Ｓｒ’の各信号レベルによって色づきの度合いが異なっている。したがって、暗表示期間に一定輝度（例えば最大階調）の青色表示を行うと、青の色信号Ｓｂ’の信号レベルが小さく、緑の色信号Ｓｇ’や赤の色信号Ｓｒ’の信号レベルが大きいような表示画像を含むフレームでは、青の色味が強くなりすぎて表示画像に色ずれを生じるおそれがある。そこで本実施形態においては、暗表示信号Ｓｄの信号レベルを、同一フレームの表示画像の青の色信号Ｓｂ’と同一の信号レベルとすることが好ましい。このような構成とすれば、表示画像に含まれる青色成分が少ないフレームにおいては、暗表示期間のサブ画素の輝度も低くなるので、上述した色ずれの問題が生じるのを防止することができる。
【００２３】
本実施形態では、暗表示期間に表示する色種が青色である場合について説明したが、暗表示期間に表示を行うサブ画素の色種は青色に限定されるものではなく、サブ画素の色種のうち、最も短波長の色であればよい。また、カラーフィルタがＲ（赤）、Ｇ（緑）、及びＢ（青）で構成される場合は、暗表示期間にＢ（青）に対応したサブ画素を選択して所定の輝度（信号レベル）で書き込むが、カラーフィルタがＹ（イエロー）、Ｃ（シアン）、及びＭ（マジェンタ）で構成される場合は、暗表示期間にＭ（マジェンタ）、カラーフィルタがＲ（赤）、Ｇ（緑）、Ｂ（青）、Ｃ（シアン又はエメラルドグリーン）で構成される場合は、暗表示期間にＢ（青）に対応したサブ画素を選択して所定の輝度（信号レベル）で書き込むものとする。このようにして色種を選択することで、暗表示期間におけるサブ画素の点灯によって動画の表示特性が損なわれるのを防止することができる。
【００２４】
（液晶表示装置の構成例）
以下、図５及び図６を参照して本発明に係る液晶表示装置の具体的な構成例について説明する。
なお、各実施形態においては、図面を参照しながら説明するが、各図において、各層や各部材を図面上で認識可能な程度の大きさとするため、各層や各部材毎に縮尺を異ならせてある。
【００２５】
図５は、液晶パネル１１０の一構成例を示す図である。図５（ａ）は液晶パネル１１０の概略平面図であり、図５（ｂ）は、図５（ａ）のＡ−Ａ’線に沿う位置における液晶パネル１１０及びバックライト９１の概略断面図である。液晶パネル１１０は、スイッチング素子としてアモルファスシリコンＴＦＴ（Thin Film Transistor）を用いたアクティブマトリクス方式の透過型カラー液晶パネルである。
【００２６】
液晶パネル１１０は、液晶層３２を挟んで対向する第１基板２２ａと第２基板２２ｂとを、これら２枚の基板の周縁部に環状に設けたシール材２３によって接着一体化したものである。液晶パネル１１０の表示面を構成する第１基板２２ａは、透明基板である基板本体２４ａの液晶層側の面に、カラーフィルタ２５と、共通電極２６ａや配向膜（図示略）等からなる液晶配向制御層とが形成されたものである。基板本体２４ａの液晶層と反対側の面には偏光板６ａが設けられている。
表示面と反対側（図示下面側）に配置された第２基板２２ｂは、透明基板である基板本体２４ｂの液晶層側の面に、画素電極２６ｂや配向膜（図示略）等からなる液晶配向制御層とが形成されたものである。基板本体２４ｂの液晶層と反対側の面には第１基板２２ａの偏光板６ａと対を成す偏光板６ｂが設けられている。
【００２７】
液晶パネル１１０を構成する第１基板２２ａと、第２基板２２ｂとの間には、これらの基板間距離（セルギャップ）を一定に保持するための粒状のスペーサ２９が分散配置されている。スペーサ２９は、フォトリソグラフィ法を用いてパターン形成された樹脂層からなる柱状スペーサであってもよい。また、基板本体２４ａと偏光板６ａとの間、及び基板本体２４ｂと偏光板６ｂとの間には、必要に応じて、位相差板や光学補償板を設けることができる。
【００２８】
液晶パネル１１０の第２基板２２ｂには、第１基板２２ａよりも外側に張り出した張出部２４ｃが設けられている。この張出部２４ｃは実装端子形成領域として使用するものである。張出部２４ｃには図示略の配線パターンが形成されており、第２基板２２ｂの画素電極２６ｂは図示略の配線パターンを介して張出部２４ｃの配線パターンに電気的に接続されている。また、第１基板２２ａの共通電極２６ａも図示略の配線パターン及び導通材を介して張出部２４ｃの配線パターンと電気的に接続されている。そして、張出部２４ｃの配線パターンに対して、液晶パネル１１０を電気的に駆動するデータ線駆動回路１０１及び走査線駆動回路１０２がＣＯＧ実装されている。駆動回路の実装形態としては、ＣＯＧ実装以外にも、ＦＰＣ実装等の他の形態を採用することができるのは勿論である。
【００２９】
バックライト９１は、透明樹脂材料等からなる導光板１５と、導光板１５の一側端面に配設された光源５２と、導光板１５の背面側（液晶パネル１１０と反対側）に配設された反射板１７とを備えて構成されている。
光源５２はＬＥＤ（発光ダイオード）等からなる発光素子を備えたものであり、光源５２の発光素子から射出された光を導光板１５の前記側端面から導光板１５内に導入し、当該光を反射板１７により反射させつつ液晶パネル１１０側へ照明光として放射するようになっている。発光素子の構成としては、白色ＬＥＤのほか、青色、緑色、赤色の各色のＬＥＤを備えた構成とすることもできる。また、導光板１５のうち液晶パネル１１０と対向する面には必要に応じて光拡散シートを装着することができ、光拡散シートとともに、又は単独で、プリズムシートを配設してもよい。
【００３０】
図６は、液晶表示装置１００の画素構成を示す平面構成図である。図６に示すように、液晶表示装置１００の表示領域には、複数の走査線１８ａが図示左右方向に延在しており、これらの走査線に交差する方向に複数のデータ線１６が延在している。走査線１８ａとデータ線１６とに囲まれた平面視矩形状の領域がサブ画素領域である。１つのサブ画素領域に対応して３原色のうち１色のカラーフィルタ２５が形成され、図示した３つのサブ画素領域で３色のカラーフィルタ２５Ｂ、２５Ｇ、２５Ｒを有する１つの画素領域を形成している。これらのカラーフィルタ２５Ｂ、２５Ｇ、２５Ｒは、液晶パネル１１０の表示領域内に周期的に配列されている。
【００３１】
各サブ画素領域内には、ＩＴＯ（インジウム錫酸化物）等の透光性の導電膜からなる平面視略矩形状の画素電極２６ｂが設けられており、画素電極２６ｂと、走査線１８ａ、データ線１６との間に、ＴＦＴ６０が介挿されている。ＴＦＴ６０は、半導体層３３と、半導体層３３の下層側（基板側）に設けられたゲート電極８０ａと、半導体層３３の上層側に設けられたソース電極３４と、ドレイン電極３５とを備えて構成されている。半導体層３３とゲート電極８０ａとが対向する領域には、ＴＦＴ３０のチャネル領域が形成されており、その両側の半導体層には、ソース領域、及びドレイン領域が形成されている。
【００３２】
ゲート電極８０ａは、走査線１８ａの一部をデータ線１６の延在方向に分岐して形成されており、その先端部において、半導体層３３と図示略の絶縁膜（ゲート絶縁膜）を介して紙面垂直方向に対向している。ソース電極３４は、データ線１６の一部を走査線１８ａの延在方向に分岐して形成されており、半導体層３３（ソース領域）と電気的に接続されている。ドレイン電極３５の一端（図示左端）側は、前記半導体層３３（ドレイン領域）と電気的に接続されており、ドレイン電極３５の他端（図示右端）側は画素電極２６ｂと電気的に接続されている。
上記構成のもとＴＦＴ６０は、走査線１８ａを介して入力されるゲート信号により所定期間だけオン状態とされることで、データ線１６を介して供給される画像信号を、所定のタイミングで液晶に対して書き込むスイッチング素子として機能するようになっている。
【００３３】
液晶パネル１１０は、ＴＦＴアクティブマトリクス型に限定されるものではなく、スイッチング素子にＴＦＤ（Thin Film Diode）等の二端子型非線形素子を用いたアクティブマトリクス型であってもよく、液晶の配向形態も、ＴＮ型、ＶＡＮ型、ＳＴＮ型、強誘電型、反強誘電型等の種々の公知の形態を採り得る。また、画素内に部分的に反射層を形成して半透過反射型の液晶表示装置を構成してもよい。
【００３４】
（電子機器）
図７は、本発明に係る電子機器の一例を示す斜視図である。この図に示す携帯電話１３００は、本発明の液晶表示装置を小サイズの表示部１３０１として備え、複数の操作ボタン１３０２、受話口１３０３、及び送話口１３０４を備えて構成されている。上記実施形態の液晶表示装置は、上記携帯電話に限らず、電子ブック、パーソナルコンピュータ、ディジタルスチルカメラ、映像モニタ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができる。あるいは、プロジェクタのライトバルブとしても用いることができる。このような電子機器は表示性能に優れたものとなる。
【図面の簡単な説明】
【００３５】
【図１】実施形態に係る液晶表示装置の概略構成図。
【図２】液晶表示装置の動作説明図。
【図３】ｘｙ色度図を用いた液晶表示装置の動作説明図。
【図４】分光特性図を用いた液晶表示装置の動作説明図。
【図５】液晶表示装置の一構成例を示す図。
【図６】画素領域の構成例を示す図。
【図７】電子機器の一例を示す図。
【符号の説明】
【００３６】
１００  液晶表示装置、２５，２５Ｇ、２５Ｂ，２５Ｒ  カラーフィルタ、５２  光源、９１  バックライト、１０１  データ線駆動回路、１０２  走査線駆動回路、１０３  表示制御回路、１０４  発光制御回路、１０５  画像処理回路、１１０  液晶パネル、１１１  駆動回路部
【図１】
2008009042.tif 000003
【図２】
2008009042.tif 000004
【図３】
2008009042.tif 000005
【図４】
2008009042.tif 000006
【図５】
2008009042.tif 000007
【図６】
2008009042.tif 000008
【図７】
2008009042.tif 000009